(57)【要約】      （修正有）【課題】火災探知チューブや消火剤送給用管等の管を壁や消火対象物にしっかりと固定する管固定用クリップを提供する。【解決手段】クリップ金具１１０と、クリップ金具１１０に別体として嵌合・被覆されている弾性被覆体１１２とからなる。クリップ金具１１０は、略Ｏ字状に湾曲させて形成した湾曲部１１０ａと、湾曲部１１０ａの一方の端部から接線方向に延長形成されている第一平坦部１１０ｂと、湾曲部１１０ａの他方の端部から外側に屈曲させた状態で延長形成されている第二平坦部１１０ｃとからなる。第一平坦部１１０ｂと第二平坦部１１０ｃにはボルトを挿入するための穴１１０ｄ，１１０ｅが各々開いていて、第一平坦部１１０ｂと第二平坦部１１０ｃを密着させた状態で該各穴は重なる関係にある。弾性被覆体１１２は湾曲部１１０ａの内側を被覆し、湾曲部１１０ａの縁部に係合してクリップ金具１１０の外周部に至っている。【選択図】図１
0003175078.tif 000002
【実用新案登録請求の範囲】
【請求項１】
クリップ金具と、該クリップ金具に別体として嵌合・被覆されている弾性被覆体とからなり、該クリップ金具は、金属板を一部が開口したままの状態で略Ｏ字状に湾曲させて形成した湾曲部と、該湾曲部の一方の端部から接線方向に延長形成されている第一平坦部と、該湾曲部の他方の端部から外側に屈曲させた状態で延長形成されている第二平坦部とからなり、該クリップ金具の長手方向断面は、該湾曲部の弾性によって第一平坦部と第二平坦部が離間している状態で略Ｒ字状となり、第一平坦部と第二平坦部を強制的に密着させた状態で略Ｐ字状となり、該第一平坦部と該第二平坦部にはボルトを挿入するための穴が各々開いていて、該第一平坦部と該第二平坦部を密着させた状態で該各穴は重なる関係にあり、該弾性被覆体は該クリップ金具の湾曲部の内側を被覆し、該湾曲部の縁部に係合して該クリップ金具の外周部に至り、該弾性被覆体の幅方向断面は該クリップ金具の外周側を被覆する部分の一部が周方向に切れた略矩形状になっていることを特徴とする管固定用クリップ。
【請求項２】
前記弾性被覆体がゴムからなることを特徴とする請求項１記載の管固定用クリップ。
【請求項３】
前記クリップ金具の外周側に前記弾性被覆体によって被覆されない部分が周方向に形成されていることを特徴とする請求項１又は２に記載の管固定用クリップ。
【考案の詳細な説明】
【技術分野】
【０００１】
本考案は、消火剤及び圧力剤を充填した耐圧容器から消火剤を圧力剤とともに火元まで送る火災探知チューブ又は消火剤送給用管等を壁や消火対象物等にしっかりと固定するための管固定用クリップに関するものである。
【背景技術】
【０００２】
図５は自動消火装置の一例を示す説明図であり、同図に示すように、この自動消火装置は、出口に容器弁１２を有し、内部に消火剤及び圧力剤を収容している耐圧容器１０と、耐圧容器１０の容器弁１２にボール弁１４を介して一方の端部が連結され、出火危険箇所に至って設置された火災探知チューブ１６とを備え、容器弁１２は開状態になっており、火災探知チューブ１６の他方の端部にはエンドアダプター１８が連結され、火災探知チューブ１６は火災の熱で穴が開く合成樹脂からなる。
【０００３】
この自動消火装置では、まず、出火危険箇所の付近に設置されていた火災探知チューブ１６が火災の熱で加熱され、火災探知チューブ１６のどこかが所定温度以上になった場合、その所定温度以上になった箇所が破裂して穴が開く。火災探知チューブ１６に穴が開くと、この穴から火災探知チューブ１６内の圧力剤が外に放出されて火災探知チューブ１６内の圧力が下がり、火災探知チューブ１６と連通している耐圧容器１０内の消火剤が圧力剤とともに火災探知チューブ１６を通って穴まで運ばれ、穴から外に放出される。穴は火元の熱で形成されたものなので、穴のすぐ近くには火元が存在しており、消火剤は火元に対してすぐ近くからピンポイントで放出され、火元の火災は極めて効果的に消火されることになる。
【０００４】
また、図６は自動消火装置の他の例を示す説明図であり、同図に示すように、この自動消火装置は、出口に容器弁１２を有し、内部に消火剤及び圧力剤を収容している耐圧容器１０と、耐圧容器１０の容器弁１２にボール弁１４を介して一方の端部が連結され、出火危険箇所に至って設置された火災探知チューブ１６と、出火危険箇所に設置され、耐圧容器１０の容器弁１２に消火剤送給用管２０を介して連結された 消火剤放出ヘッド２２とを備え、容器弁１２は火災探知チューブ１６の破損を感知して 消火剤放出ヘッド２２に消火剤を送る構造になっており、火災探知チューブ１６の他方の端部は閉じられており、火災探知チューブ１６は火災の熱で穴が開く合成樹脂からなる。
【０００５】
この自動消火装置では、まず、出火危険箇所の付近に設置されていた火災探知チューブ１６が火災の熱で加熱され、火災探知チューブ１６のどこかが所定温度以上になった場合、その所定温度以上になった箇所が破裂して穴が開く。火災探知チューブ１６に穴が開くと、この穴から火災探知チューブ１６内の圧力剤が外に放出されて火災探知チューブ１６内の圧力が下がる。火災探知チューブ１６内の圧力が下がると、この圧力の低下で容器弁１２が作動し、消火剤送給用管２０を介して 消火剤放出ヘッド２２に消火剤が送られ、 消火剤放出ヘッド２２から火元に向けて消火剤が放出され、火災が消火される。
【０００６】
ところで、耐圧容器１０の内部は圧力剤によって０．９８ＭＰａと高圧になっているので、消火剤が放出される際は、消火剤放出の反動によって火災探知チューブ１６や消火剤放出ヘッド２２には強い力がかかり、消火剤放出ヘッド２２を連結している消火剤送給用管２０にも強い力がかかる。また、火災探知チューブ１６、消火剤放出ヘッド２２及び消火剤送給用管２０は消火剤の放出の際に激しく振動する。このため、火災探知チューブ１６や消火剤送給用管２０は壁や消火対象物にしっかりと固定されている必要がある。
【０００７】
しかし、火災探知チューブ１６や消火剤送給用管２０を固定するために使用されている管固定用クリップは、長手方向断面が略Ｒ字状のクリップ金具の湾曲部に軟質塩化ビニルをコーティングしたものが主流であり、コーティングが硬くて薄く、クリップ金具の湾曲部が真円に近い形状になっていて、湾曲部の内径と管の外径が合っていない場合は、火災探知チューブ１６や消火剤送給用管２０を壁や消火対象物にしっかりと固定することができないという問題があった。
【０００８】
そして、しっかりと固定されていないまま消火剤を放出させると、火災探知チューブ１６や消火剤放出ヘッド２２が曲がったり、消火剤送給用管２０が消火剤放出ヘッド２２とともにずれて、出火した箇所に向けて消火剤を正確に放出できず、また、火災探知チューブ１６や消火剤放出ヘッド２２又は消火剤送給用管２０が壁や消火対象物から外れるかもしれないという問題があった。
【先行技術文献】
【特許文献】
【０００９】
【特許文献１】特開２００３−２７８９５１号公報
【特許文献２】特開平１０−０６１８２９号公報
【特許文献３】特開平０６−３３７０８１号公報
【特許文献４】特開平０５−０９９３７２号公報
【考案の概要】
【考案が解決しようとする課題】
【００１０】
この考案が解決しようとする課題は、クリップ金具の湾曲部が真円に近い形状になっていない場合や、固定される管の外径がクリップ金具の湾曲部の内径より小さい場合、管を壁や消火対象物にしっかりと固定できない点である。
【課題を解決するための手段】
【００１１】
本考案に係る管固定用クリップは、クリップ金具と、該クリップ金具に別体として嵌合・被覆されている弾性被覆体とからなり、該クリップ金具は、金属板を一部が開口したままの状態で略Ｏ字状に湾曲させて形成した湾曲部と、該湾曲部の一方の端部から接線方向に延長形成されている第一平坦部と、該湾曲部の他方の端部から外側に屈曲させた状態で延長形成されている第二平坦部とからなり、該クリップ金具の長手方向断面は、該湾曲部の弾性によって第一平坦部と第二平坦部が離間している状態で略Ｒ字状となり、第一平坦部と第二平坦部を強制的に密着させた状態で略Ｐ字状となり、該第一平坦部と該第二平坦部にはボルトを挿入するための穴が各々開いていて、該第一平坦部と該第二平坦部を密着させた状態で該各穴は重なる関係にあり、該弾性被覆体は該クリップ金具の湾曲部の内側を被覆し、該湾曲部の縁部に係合して該クリップ金具の外周部に至り、該弾性被覆体の幅方向断面は該クリップ金具の外周側を被覆する部分の一部が周方向に切れた略矩形状になっていることを特徴とする。
【００１２】
ここで、前記弾性被覆体としてはゴムを使用することができる。ゴムは、ある程度の弾性があり、弾性変形できるものであれば如何なる種類のゴムでもよい。また、前記弾性被覆体は前記クリップ金具の外周側を被覆する部分の一部が周方向に切れてれば、この切れている部分は当接していて該外周側が隠されていてもよいし、離れていて該外周側に該弾性被覆体によって被覆されない部分が周方向に形成されいてもよい。
【００１３】
前記クリップ金具の外周側に前記弾性被覆体によって被覆されない部分が周方向に形成される場合、すなわち、背側の切れている部分が離れている弾性被覆体の場合、該弾性被覆体を該クリップ金具から取り外したり取り付けたりするのが容易なので、該弾性被覆体を交換するのが容易という利点がある。
【考案の効果】
【００１４】
本考案の管固定用クリップは、弾性被覆体がクリップ金具とは別体になっているので、弾性被覆体の、クリップ金具の湾曲部の内側を被覆する部分を厚く形成することができ、従って、クリップ金具の湾曲部が完全な円形に湾曲しておらず、または、管固定用クリップの湾曲部の内径が管の外径と一致していなくても、管を被固定部にしっかりと固定することができるという利点がある。
【００１５】
また、本考案の管固定用クリップは、弾性被覆体がクリップ金具とは別体になっているので、クリップ金具の湾曲部の内側を被覆する部分の厚さの異なる弾性被覆体を交換することにより、外径の異なる管を管固定用クリップの湾曲部の内側が管の外周に密着した状態で固定できるようにすることができ、従って、外径の異なる管をしっかりと固定することができるという利点がある。
【図面の簡単な説明】
【００１６】
【図１】図１は本考案に係る管固定用クリップの一例の説明図である。
【図２】図２は本考案に係る管固定用クリップの一例の分解説明図である。
【図３】図３は本考案に係る管固定用クリップで消火剤送給用管を固定した状態を示す説明図である。
【図４】図４は本考案に係る管固定用クリップで火災探知チューブを固定した状態を示す説明図である。
【図５】図５は自動消火装置の一例を示す説明図である。
【図６】図６は自動消火装置の他の例を示す説明図である。
【考案を実施するための形態】
【００１７】
火災探知チューブや消火剤送給用管等の管を壁や消火対象物にしっかりと固定するという目的を、簡単な構成で、信頼性を損なわずに実現した。
【実施例１】
【００１８】
図１は本考案に係る管固定用クリップの一例の説明図、図２は本考案に係る管固定用クリップの一例の分解説明図である。これらの図において、１００は本考案にかかる管固定用クリップであり、管固定用クリップ１００はクリップ金具１１０と、クリップ金具１１０に別体として被覆されている弾性被覆体１１２とからなる。
【００１９】
クリップ金具１１０は、金属板を一部が開口したままの状態で略Ｏ字状に湾曲させて形成した湾曲部１１０ａと、湾曲部１１０ａの一方の端部から接線方向に延長形成されている第一平坦部１１０ｂと、湾曲部１１０ａの他方の端部から外側に屈曲させた状態で延長形成されている第二平坦部１１０ｃとからなる。
【００２０】
クリップ金具１１０の長手方向断面は湾曲部１１０ａの弾性によって第一平坦部１１０ｂと第二平坦部１１０ｃが離間している状態で略Ｒ字状になり、クリップ金具１１０は第一平坦部１１０ｂと第二平坦部１１０ｃを湾曲部１１０ａの弾性に抗して強制的に密着させた状態で略Ｐ字状になる。
【００２１】
弾性被覆体１１２はクリップ金具１１０の湾曲部１１０ａに被覆されている。弾性被覆体１１２の幅方向断面はクリップ金具１１０の外周側を被覆する部分の一部が切れた扁平な略矩形状になっていて、湾曲部１１０ａの外周側には弾性被覆体１１２によって被覆されない部分が周方向に形成されている。
【００２２】
弾性被覆体１１２はゴムによって形成されている。また、第一平坦部１１０ｂと第二平坦部１１０ｃにはボルト（図示せず）を挿入するための穴１１０ｄ，１１０ｅが各々開いていて、第一平坦部１１０ｂと第二平坦部１１０ｃを密着させた状態で穴１１０ｄと穴１１０ｅは重なる関係にある。
【００２３】
図３は本考案に係る管固定用クリップで消火剤送給用管を固定した状態を示す説明図、図４は本考案に係る管固定用クリップで火災探知チューブ１６を固定した状態を示す説明図である。これらの図に示すように、本考案に係る管固定用クリップは湾曲部１１０ａの内側に管を入れた状態で穴１１０ｄと穴１１０ｅにボルトを挿入し、ボルトにナットを螺合し、第一平坦部１１０ｂと第二平坦部１１０ｃを強制的に密着させ、湾曲部１１０ａを縮経させ、弾性被覆体１１２を介して湾曲部１１０ａで火災探知チューブ１６や消火剤送給用管２０を固定する。火災探知チューブ１６は管固定用クリップによって部分的に変形しないように、周囲にスプリング１１４を巻いた状態で固定されている。
【産業上の利用可能性】
【００２４】
本考案は自動消火装置に使用する消火剤送給用管や火災探知チューブをしっかりと固定する場合について説明したが、自動消火装置に使用する管に限定するものではなく、しっかりとした固定が必要なその他の管の固定についても適用できる。
【符号の説明】
【００２５】
１０  耐圧容器
１２  容器弁
１４  ボール弁
１６  火災探知チューブ
１８  エンドアダプター
２０  消火剤送給用管
２２  消火剤放出ヘッド
１００  管固定用クリップ
１１０  クリップ金具
１１０ａ  湾曲部
１１０ｂ  第一平坦部
１１０ｃ  第二平坦部
１１０ｄ  穴
１１０ｅ  穴
１１２  弾性被覆体
【図１】
0003175078.tif 000003
【図２】
0003175078.tif 000004
【図３】
0003175078.tif 000005
【図４】
0003175078.tif 000006
【図５】
0003175078.tif 000007
【図６】
0003175078.tif 000008